(57)【特許請求の範囲】
【請求項１】
ゴルフクラブのシャフトに対する取付け手段と、前記取付け手段と一体であって発光手段を内蔵するハウジングとからなるゴルフクラブのスイングチェッカーにおいて、
前記発光手段が発光体と、
電池と、
前記クラブを振ったときに生じる遠心力によって前記シャフトの軸線方向下方へ動く可動部材とを含み、
前記発光体から延出する第１および第２リード線のうちの弾性変形可能な第１リード線の自由端部の上方に前記可動部材が位置し、
前記自由端部は前記電池の上面から離間するように位置している
ことを特徴とする前記スイングチェッカー。
【請求項２】
前記第１リード線は前記発光体から前記シャフトの軸線方向下方に向けて延出して水平方向より上方に鋭角に折曲され前記自由端部が前記電池の上面から離間するように位置し、
前記可動部材が前記自由端部上に載せられ、
前記第２リード線は前記発光体から前記シャフトの軸線方向下方に向けて延出してほぼ直角に折曲され水平に延びて前記電池の下面に接触する請求項1に記載のスイングチェッカー。
【請求項３】
前記電池がボタン電池である請求項１または２のいずれかに記載のスイングチェッカー。
【請求項４】
前記ハウジングの内部で、前記電池が前記発光体よりも前記シャフト寄りに位置している請求項１〜３のいずれかに記載のスイングチェッカー。
【請求項５】
前記取付け手段が前記シャフトを囲むように環状に延びる高剛性の握持部と、前記握持部と別体で前記握持部と前記シャフトの間に介在して前記シャフトを囲むように環状に延びる柔軟弾性のパッキング部材とからなり、
前記握持部とパッキング部材とがそれらの内径を弾性的に拡大、縮小させることができるようにそれぞれの環の一部分が周り方向において切り欠かれていることを特徴とする請求項１〜４のいずれかに記載のスイングチェッカー。
【請求項６】
前記握持部の内径と前記パッキング部材の外径とが前記シャフトの上方から下方へ向かって大きくなるように変化している請求項５に記載のスイングチェッカー。
【発明の詳細な説明】
【０００１】
【発明の属する技術分野】
この発明は、ゴルフプレイヤーが自分のスイングをチェックするために使用するチェッカーに関する。
【０００２】
【従来の技術】
実開昭６０−１０４１７２号公報には、「ゴルフクラブヘッド最高速度帯域検出表示器」なる名称のゴルフスイング改善用練習器が開示されている。この練習器では、上下に長い乾電池の上端に豆電球を電気的に接続し、乾電池の下端と、豆電球につながる電気回路の端子とをスプリングコイルを介して離間させてある。この練習器を豆電球が上を向くようにしてゴルフクラブのシャフトにバンドで取付け、ゴルフクラブを所要の速度以上で振ると、そのときに作用する遠心力で乾電池がコイルバネを圧縮して電気回路の端子に接触し、豆電球が点灯する。かかる点灯によって、ゴルファーは自分のスイングが所要速度以上であることを知ることができる。
【０００３】
【発明が解決しようとする課題】
しかるに、前記公知の練習器は、ベルトを使ってシャフトに取付けなければならず、この練習器を使用するときにそのベルトを締付けるための手間がかかり、また締付けた後には、ベルトの自由端部がクラブを振るときの邪魔になることがないように始末しなければならないという手間がかかる。さらにはまた、前記練習器は、棒状乾電池がコイルバネの弾性に抗して動くものであるうえに、乾電池の重量を自由に設定することができないから、この練習器はゴルフクラブのヘッドの重量に大きな影響を与えることがある。その結果として、この練習器を取付けたゴルフクラブでは、スイングが実際のスイングと異なるものになることを避け難い。
【０００４】
この発明では、ゴルフクラブのスイングの点検、矯正のために使用するスイングチェッカーをゴルフクラブに取付け容易にし、併せてそのチェッカーの重量を軽くすることができるようにチェッカーの構造を改良することが課題である。
【０００５】
【課題を解決するための手段】
前記課題解決のために、この発明が対象とするのは、ゴルフクラブのシャフトに対する取付け手段と、前記取付け手段と一体であって発光手段を内蔵するハウジングとからなるゴルフクラブのスイングチェッカーである。
【０００６】
かかるスイングチェッカーにおいて、この発明が特徴とするところは、前記発光手段が発光体と、電池と、前記クラブを振ったときに生じる遠心力によって前記シャフトの軸線方向下方へ動く可動部材とを含み、前記発光体から延出する第１および第２リード線のうちの弾性変形可能な第1リード線の自由端部の上方に前記可動部材が位置し、前記自由端部は前記電池の上面から離間するように位置していることにある。
【０００７】
この発明には、次のような好ましい実施態様がある。
（１）前記第１リード線は前記発光体から前記シャフトの軸線方向下方に向けて延出して水平方向より上方に鋭角に折曲され前記自由端部が前記電池の上面から離間するように位置し、
前記可動部材が前記自由端部上に載せられ、
前記第２リード線は前記発光体から前記シャフトの軸線方向下方に向けて延出してほぼ直角に折曲され水平に延びて前記電池の下面に接触する。
（２）前記電池がボタン電池である。
（３）前記ハウジングの内部で、前記電池が前記発光体よりも前記シャフト寄りに位置している。
（４）前記取付け手段が前記シャフトを囲むように環状に延びる高剛性の握持部と、前記握持部と別体で前記握持部と前記シャフトの間に介在して前記シャフトを囲むように環状に延びる柔軟弾性のパッキング部材とからなり、前記握持部とパッキング部材とがそれらの内径を弾性的に拡大、縮小させることができるようにそれぞれの環の一部分が周り方向において切り欠かれている
（５）前記握持部の内径と前記パッキング部材の外径とが前記シャフトの上方から下方へ向かって大きくなるように変化している。
【０００８】
【発明の実施の形態】
添付の図面を参照し、この発明に係るゴルフクラブのスイングチェッカーの詳細を説明すると、以下のとおりである。
【０００９】
図１は、ゴルフクラブ１に取付けられているスイングチェッカーの斜視図である。このチェッカーは、ゴルフクラブ１のシャフト２に取付け取外し可能なハウジング４を有する。ハウジング４は、ＬＥＤ６の収納部７と、シャフト２に対する握持部８と、シャフト２と握持部８との間に介在するパッキング部材９とを含む。収納部７は、シャフト２を囲むように環状に延びる握持部８の径方向の外側に位置し、収納部７の先端部分上面にはＬＥＤ６の一部分が露出している。収納部７と握持部８とはＡＢＳ樹脂、ポリカーボネート樹脂等の硬質プラスチックによって一体的に作られていて剛性が高く、パッキング部材９は合成ゴム等のエラストマーによって作られていて柔軟弾性を有する。収納部７は、これら握持部８とパッキング部材９とによってシャフト２に固定された状態にあり、ＬＥＤ６はシャフト２からシャフト２の径方向外方ヘ離れてクラブヘッド２ａの上方に位置することが可能である。かようなチェッカーが取付けられたゴルフクラブ１は、所要以上の速度で振るとＬＥＤ６が発光するように作られており、その発光によってクラブヘッド２ａの軌跡を追うことが可能であるとともに、ゴルフクラブ１を振る速度が所要以上の速度であることを知ることができる。
【００１０】
図２，３は、チェッカーの頂面図と、頂面図のＩＩＩ−ＩＩＩ線断面図である。図２において、収納部７はほぼ三角形を呈し、環状の握持部８は周り方向の一部分１１が切り欠かれている。その一部分１１における周り方向の両端部には、握持部８において径方向外方ヘ延びるシャフト導入部１２が形成されている。また、環状のパッキング部材９も周り方向の一部分１３が切り欠かれている。パッキング部材９には径方向外方ヘ向かって突出する摘み１５が形成されている。これら握持部８とパッキング部材９との間では、切り欠かれている部分１１，１３が拡開、縮小することによって、シャフト２をパッキング部材９の内側に納め、次にシャフト２が内側に納まる握持部８とパッキング部材９とを図１，２のように嵌合させることができる。その後の握持部８は、図示の如くシャフト２を強く握持し、収納部７の位置をシャフト２に対して固定することができる。
【００１１】
図３に示された収納部７は、ビス１６によって蓋１７が閉じた状態にあり、内部にはＬＥＤ６の他に、扁平なボタン電池１９と球状の可動部材２０とが納められている。ＬＥＤ６は、その底部から第１リード線２１と第２リード線２２とが垂直方向に延出している。第１リード線２１は、部位２１ａにおいて鋭角に折曲され、自由端部２１ｂが上方ヘ向かって延びてボタン電池１９の上方にボタン電池１９の上面から離間するように位置しており、可動部材２０がその自由端部２１ｂの上に載せられている。第２リード線２２は、部位２２ａにおいてほぼ直角に折曲されて水平に延び、自由端部２２ｂがボタン電池１９の下面に接触している。第１リード線２１の部位２１ａは、蓋１７に設けられた第１支持部１７ａに接触し、第２リード線２２の部位２２ａは蓋１７の第２支持部１７ｂに接触している。ＬＥＤ６と第１支持部１７ａとの間には発泡プラスチックからなるスペーサ２５が介在し、ＬＥＤ６を上方へ向かうように付勢している。ボタン電池１９の下方には、蓋１７に取付けられた発泡プラスチックからなるスペーサ２６が位置し、このスペーサ２６がハウジング４の下方から第２リード線２２をボタン電池１９の下面に圧接し、ボタン電池１９をハウジング４の壁部２７，２８に圧接している。かかるボタン電池１９の上面は絶縁シート３１によって覆われており、絶縁シート３１の一端部３２が、蓋１７に設けられた透孔３３を通ってハウジング４の外にまで延びている。可動部材２０は、第１リード線２１の自由端部２１ｂの上に正確に位置し得るように、ハウジング４の中空部３４に納められている。
【００１２】
図３に示された握持部８とパッキング部材９とは、協働してシャフト２を握持することができるように、握持部８の内径とパッキング部材９の外径とが互いに密着可能で、かつ、シャフト２の上方から下方へ向かって次第に大きくなるように作られている。ゴルフクラブ１を振ったときにハウジング４が矢印Ａで示す下方へ動くと、握持部８がパッキング部材９を強く締め付けるように作用して、シャフト２に対するハウジング４の位置が一層安定する。握持部８は、矢印Ｂで示す上方へ動かすことによってパッキング部材９から外すことができる。
【００１３】
このように形成されたスイングチェッカーでは、これを使用するときに絶縁シート３１の端部３２を引張ることによって、このシート３１をハウジング４から抜き取る。次いでゴルフクラブ１を所要速度以上で振ると、そのときに作用する遠心力で可動部材２０が図の下方へ動き、ＬＥＤ６の第１リード線２１を弾性的に変形させてボタン電池１９の上面に接触させる。その接触によって、ＬＥＤ６とボタン電池１９との間の電気回路が閉じてＬＥＤ６が発光する。ＬＥＤ６は、図１に示されるようにクラブヘッド２ａのほぼ直上に位置しているから、発光したＬＥＤ６が画く軌跡を目視することによって、クラブヘッド２ａの動きがボールをヒットするのに適切であったか否かを判断することができる。また、ＬＥＤ６の発光は、クラブヘッド２ａの速度が十分であったことを証明する。ゴルフクラブ１が静止すれば、第１リード線２１はその弾性によって可動部材２０を持ち上げ、図３の状態に復帰する。
【００１４】
この発明では、ＬＥＤ６とボタン電池１９とが握持部８の径方向、すなわちシャフト２の径方向へ延びる一直線上に並び、ボタン電池１９がシャフト２寄りに位置するから、ハウジング４を徒に大きくすることなくＬＥＤ６をシャフト２から離間させてクラブヘッド２ａのほぼ直上に位置させることが可能になる。また、ＬＥＤ６を発光させるための電源として、小型にして軽量なボタン電池１９を採用したから、ハウジングが大きく、重いものになるという従来技術の問題を解消することができる。さらには、ＬＥＤ６の第１リード線２１をばねとして利用するから、従来技術で必要とされたコイルばねが不要になる。球状のものとして例示された可動部材２０は、適宜の材料を使用して適宜の重量に調整することができ、そのような可動部材２０の存在によって、チェッカーは徒に重いものになるということがない。
【００１５】
この発明は、ＬＥＤ６を豆電球に代えて実施することもできる。
【００１６】
【発明の効果】
この発明に係るスイングチェッカーは、ゴルフクラブのシャフトに対して着脱容易な握持部とパッキング部材とを有するから、シャフトに取付けるときに手間がかからない。
【図面の簡単な説明】
【図１】ゴルフクラブに取付けたスイングチェッカーの斜視図。
【図２】スイングチェッカーの頂面図。
【図３】図２のＩＩＩ−ＩＩＩ線断面図。
【符号の説明】
１      ゴルフクラブ
２      シャフト
４      ハウジング
６      発光体
８      握持部
９      パッキング部材
２０      可動部材
【図１】
0003811049.tif 000002
【図２】
0003811049.tif 000003
【図３】
0003811049.tif 000004